(57)【要約】【課題】大量に発生し、かつ類似する通信フローを効率よく監視することが可能な通信装置を提供する。【解決手段】ネットワークから送信するパケット及びネットワークから受信したパケットを収集するパケット収集部と、前記パケット収集部が収集したパケットを用いてパケットの記録の開始及び停止を指示する指示情報を生成する契機となるパケットが存在するか検出するパケット検出部と、パケットの監視動作に用いる情報及び前記指示情報を含んだ制御情報を生成する制御情報生成部と、前記制御情報生成部が生成した前記制御情報を前記ネットワークに接続される他の装置に送信する通信制御部と、を備える、通信装置が提供される。【選択図】図１
2015093345.tif 000002
【特許請求の範囲】
【請求項１】
ネットワークへ送信するパケット及び前記ネットワークから受信したパケットを収集するパケット収集部と、
前記パケット収集部が収集したパケットを用いてパケットの記録の開始及び停止を指示する指示情報を生成する契機となるパケットが存在するか検出するパケット検出部と、
パケットの監視動作に用いる情報及び前記指示情報を含んだ制御情報を生成する制御情報生成部と、
前記制御情報生成部が生成した前記制御情報を前記ネットワークに接続される他の装置に送信する通信制御部と、
を備える、通信装置。
【請求項２】
前記制御情報生成部は、記録するパケットの情報及び計数するパケットの情報を含んだ前記制御情報を生成する、請求項１に記載の通信装置。
【請求項３】
前記パケット検出部は、
前記パケット収集部が収集したパケットから記録するパケットを選択する記録パケット選択部と、
前記記録パケット選択部が選択したパケットの指定する部分を記録する記録制御部と、
前記パケット収集部が収集したパケットから計数するパケットを選択する計数パケット選択部と、
前記計数パケット選択部が選択したパケットを計数する計数制御部と、
を備える、請求項１に記載の通信装置。
【請求項４】
前記パケット収集部が収集したパケットに関する情報を整理して出力する記録情報処理部をさらに備える、請求項３に記載の通信装置。
【請求項５】
前記記録情報処理部は、
前記記録制御部が記録したパケットの情報であるパケット記録情報と、前記計数制御部が計数したパケットの情報であるパケット計数情報と、他の装置で収集されたパケット記録情報とパケット計数情報とについて、発生順序を整理する、請求項４に記載の通信装置。
【請求項６】
前記記録パケット選択部は、前記パケット収集部が収集したパケットと指定のパターンとの一致または不一致を判定して記録するパケットを選択する１つ以上のフィルタの組合せで構成される、請求項３に記載の通信装置。
【請求項７】
前記計数パケット選択部は、前記パケット収集部が収集したパケットと指定のパターンとの一致または不一致を判定して計数するパケットを選択するする１つ以上のフィルタの組合せで構成される、請求項３に記載の通信装置。
【請求項８】
前記記録制御部は、パケットの記録開始の指示の発生時点の時刻を基準時刻とする相対時刻を選択して、パケットと同時に記録する制御を行なう、請求項３に記載の通信装置。
【請求項９】
前記通信制御部は、前記他の装置に前記制御情報に基づくリモート制御の許可を確認する、請求項１に記載の通信装置。
【請求項１０】
前記通信制御部は、前記他の装置に前記指示情報を送信する際に、該他の装置のネットワークアドレスを設定したパケットを生成し、該パケットを該他の装置とは異なる装置に送信する、請求項１に記載の通信装置。
【請求項１１】
ネットワークへ送信するパケット及び前記ネットワークから受信したパケットを収集することと、
収集された前記パケットを用いてパケットの記録の開始及び停止を指示する指示情報を生成する契機となるパケットが存在するか検出することと、
パケットの監視動作に用いる情報及び前記指示情報を含んだ制御情報を生成することと、
生成された前記制御情報を前記ネットワークに接続される他の装置に送信することと、
を含む、パケット監視方法。
【請求項１２】
コンピュータに、
ネットワークへ送信するパケット及び前記ネットワークから受信したパケットを収集することと、
収集された前記パケットを用いてパケットの記録の開始及び停止を指示する指示情報を生成する契機となるパケットが存在するか検出することと、
パケットの監視動作に用いる情報及び前記指示情報を含んだ制御情報を生成することと、
生成された前記制御情報を前記ネットワークに接続される他の装置に送信することと、
を実行させる、コンピュータプログラム。
【発明の詳細な説明】
【技術分野】
【０００１】
本開示は、通信装置、パケット監視方法及びコンピュータプログラムに関する。
【背景技術】
【０００２】
ネットワーク上でのトラブルの原因を突き止めるため、ネットワーク上のパケットを取得して保持しておく技術が開示されている（例えば特許文献１〜４参照）。ネットワーク上のパケットを取得して保持するネットワーク監視装置の記憶容量は有限であるので、パケットを取得して保持するパケット保持機能だけでなく、ネットワーク上でエラーが発生した場合に、パケットの上書きを防止する上書き防止機能が求められている。
【先行技術文献】
【特許文献】
【０００３】
【特許文献１】特開２００２−６４４９２号公報
【特許文献２】特開２００２−６４５０７号公報
【特許文献３】特開２００５−２９４９７３号公報
【特許文献４】特開２００５−２９４９７４号公報
【発明の概要】
【発明が解決しようとする課題】
【０００４】
パケット保持機能を有するネットワーク監視装置は、さらにパケット保持データの上書き防止機能以外の機能を必要とする。特に、ネットワーク監視機能を実装したデータ通信装置をネットワーク上に複数配置するネットワークシステムでは、ネットワーク監視を有効に機能させるために、ネットワーク監視機能を一括管理し、制御する機能が必要となる。特に、複数のデータ通信装置を配置して、複数の異なる映像データ及び音声データを大量に、かつリアルタイムに通信するネットワークシステムでは、ネットワークの状態を効率よく監視することが強く求められる。【０００５】
そこで本開示では、大量に発生し、かつ類似する通信フローを効率よく監視することが可能な、新規かつ改良された通信装置、パケット監視方法及びコンピュータプログラムを提案する。
【課題を解決するための手段】
【０００６】
本開示によれば、ネットワークへ送信するパケット及び前記ネットワークから受信したパケットを収集するパケット収集部と、前記パケット収集部が収集したパケットを用いてパケットの記録の開始及び停止を指示する指示情報を生成する契機となるパケットが存在するか検出するパケット検出部と、パケットの監視動作に用いる情報及び前記指示情報を含んだ制御情報を生成する制御情報生成部と、前記制御情報生成部が生成した前記制御情報を前記ネットワークに接続される他の装置に送信する通信制御部と、を備える、通信装置が提供される。【０００７】
また本開示によれば、ネットワークへ送信するパケット及び前記ネットワークから受信したパケットを収集するステップと、収集された前記パケットを用いてパケットの記録の開始及び停止を指示する指示情報を生成する契機となるパケットが存在するか検出するステップと、パケットの監視動作に用いる情報及び前記指示情報を含んだ制御情報を生成するステップと、生成された前記制御情報を前記ネットワークに接続される他の装置に送信するステップと、を含む、パケット監視方法が提供される。【０００８】
また本開示によれば、コンピュータに、ネットワークへ送信するパケット及び前記ネットワークから受信したパケットを収集するステップと、収集された前記パケットを用いてパケットの記録の開始及び停止を指示する指示情報を生成する契機となるパケットが存在するか検出するステップと、パケットの監視動作に用いる情報及び前記指示情報を含んだ制御情報を生成するステップと、生成された前記制御情報を前記ネットワークに接続される他の装置に送信するステップと、を実行させる、コンピュータプログラムが提供される。
【発明の効果】
【０００９】
以上説明したように本開示によれば、大量に発生し、かつ類似する通信フローを効率よく監視することが可能な、新規かつ改良された通信装置、パケット監視方法及びコンピュータプログラムを提供することができる。【００１０】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１１】
【図１】本開示の一実施形態に係る映像編集システムの構成例を示す説明図である。
【図２】映像編集システムでパケットエラーが検出された場合の動作を説明するための説明図である。
【図３】本開示の一実施形態に係る映像編集システムの構成例を示す説明図である。
【図４】映像編集システムでパケットエラーが検出された場合の動作を説明するための説明図である。
【図５】映像編集システムでパケットエラーが検出された場合の動作を説明するための説明図である。
【図６】本開示の一実施形態に係る映像編集システムの構成例を示す説明図である。
【図７】本開示の一実施形態に係る通信装置１００の機能構成例を示す説明図である。
【図８】パケットフィルタ部１２０の機能構成例を示す説明図である。
【図９】システム動作例を説明する説明図である。
【図１０】システム動作例を説明する説明図である。
【図１１】システム動作例を説明する説明図である。
【図１２】システム動作例を説明する説明図である。
【図１３】本開示の一実施形態に係る通信装置１００の動作例を示す流れ図である。
【図１４】本開示の一実施形態に係る通信装置１００の動作例を示す流れ図である。
【図１５】本開示の一実施形態に係る通信装置１００の動作例を示す流れ図である。
【図１６】ハードウェア構成例を示す説明図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
１．本開示の一実施形態
１．１．システム構成例
１．２．通信装置の構成例
１．３．ネットワーク監視機能実行時のシステム動作例
１．４．通信装置の動作例
２．ハードウェア構成例
３．まとめ
【００１４】
＜１．本開示の一実施形態＞
［１．１．システム構成例］
（第１の構成例）
まず、図面を参照しながら本開示の実施の形態について説明する。図１は、本開示の一実施形態に係る映像編集システムの構成例を示す説明図である。以下、図１を用いて本開示の一実施形態に係る映像編集システムの構成例について説明する。
【００１５】
図１に示した映像編集システムは、制御装置１と、入力装置２ａ、２ｂ、２ｃと、記録装置３と、編集装置４と、表示装置５ａ、５ｂと、出力装置６と、を含んで構成される。制御装置１と、入力装置２ａ、２ｂ、２ｃと、記録装置３と、編集装置４と、表示装置５ａ、５ｂと、出力装置６とは、ネットワークスイッチ群１０を介してネットワークに接続されている。
【００１６】
制御装置１は、各装置間の通信フローの経路を設定する装置である。図１には、入力装置２ａから表示装置５ａ及び編集装置４へ送信されるフローａ、入力装置２ｂから記録装置３へ送信されるフローｂ、入力装置２ｃから編集装置４へ送信されるフローｃ、編集装置４から表示装置５ｂへ送信されるフローｄ、編集装置４から出力装置６へ送信されるフローｅの５つの通信フローが、制御装置１によって設定された状態が例示されている。
【００１７】
入力装置２ａ、２ｂ、２ｃ、記録装置３、編集装置４、表示装置５ａ、５ｂ、出力装置６は、いずれもＳＤＩ（Ｓｅｒｉａｌ  Ｄｉｇｉｔａｌ  Ｉｎｔｅｒｆａｃｅ）信号を処理する機能を有する。そして入力装置２ａ、２ｂ、２ｃ、記録装置３、編集装置４、表示装置５ａ、５ｂ、出力装置６は、いずれも、ＳＤＩ信号とＩＰ（Ｉｎｔｅｒｎｅｔ  Ｐｒｏｔｏｃｏｌ）信号とを相互に変換するＳＤＩ−ＩＰ変換部１１と、ネットワークに流れるＩＰ信号の状態を監視する監視部１２と、を含んでいる。監視部１２は、ＳＤＩ−ＩＰ変換部１１と、ネットワークスイッチ群１０とがやり取りする全てのフローを監視対象としている。
【００１８】
図１に示した映像編集システムは、信号のリアルタイム処理が求められる。従って、上記の通信フローの通信プロトコルには、ＵＤＰ（Ｕｓｅｒ  Ｄａｔａｇｒａｍ  Ｐｒｏｔｏｃｏｌ）やＲＴＰ（Ｒｅａｌ−ｔｉｍｅ  Ｔｒａｎｓｐｏｒｔ  Ｐｒｏｔｏｃｏｌ）が用いられる。通信プロトコルにＵＤＰやＲＴＰを用いると、ＴＣＰ（Ｔｒａｎｓｍｉｓｓｉｏｎ  Ｃｏｎｔｒｏｌ  Ｐｒｏｔｏｃｏｌ）と異なり、パケットエラーによる映像品質の劣化を避けるため、装置や経路の冗長設計や、誤り訂正機能の実装が求められる。冗長化させた装置や経路、また誤り訂正機能が有効に機能することで映像品質の劣化に至らなくても、個々の通信フローにどの程度の誤りがどの箇所で発生しているかどうかを常に監視して、冗長設計や誤り訂正機能が有効に働く範囲にあることを維持することが求められる。
【００１９】
図１では、編集装置４の監視部１２が、自装置の送受信フローを監視対象に設定し、その送受信フローに関係する各装置の監視部１２をリモートで設定する様子を破線で図示している。すなわち、編集装置４に関係する通信フローはａ、ｃ、ｄ、ｅであるので、図１では、編集装置４の監視部１２が、入力装置２ａ、２ｃ、表示装置５ｂ、出力装置６の監視部１２をリモートで設定している様子が図１に示されている。
【００２０】
図１に示した例では、編集装置４は、自装置の監視部１２で通信フローａと通信フローｃの受信状態の監視を実行し、通信フローａの送信元である入力装置２ａの監視部１２に対し、通信フローａの送信状態を監視するようにリモートで設定している。同様に、通信フローｃについては入力装置２ｃの監視部１２へ通信フローａの送信状態を監視するようにリモートで設定し、通信フローｄについては表示装置５ｂの監視部１２へ通信フローｄの受信状態を監視するようにリモートで設定し、通信フローｅについては出力装置６の監視部１２へ通信フローｅの送信状態を監視するようにリモートで設定している。
【００２１】
フローａについて注目すると、入力装置２ａで送信状態を監視し、編集装置４で受信状態を監視していることになる。この入力装置２ａの監視部１２と編集装置４の監視部１２に設定する項目は、監視対象とするフローａのネットワークアドレス情報を始めとして、共通する内容が少なくない。
【００２２】
監視部１２は、監視動作としてパケットデータの記録動作を実行する。監視部１２が実行するパケットデータ記録動作は、監視部１２に設定される項目の内容に依存する。このような項目の内容としては、例えば定期的に記録及び解析を実行する、特定の開始条件を満足した場合に記録（上書き記録）を開始する、特定の停止条件を満足した場合に記録（上書き記録）を停止する、などの設定である。
【００２３】
なお上述しなかった通信フローｂについては、入力装置２ｂと記録装置３との間で、同様に監視部１２の間でリモート設定が行われることで、同様に監視対象とすることが出来る。
【００２４】
以上により、本開示の一実施形態に係る映像編集システムは、ＳＤＩ信号の処理機能を有するすべての装置に、リモート制御が可能な監視部１２を実装することで、同一の通信フローを複数の場所で同時に監視することが出来る。同一の通信フローを複数の場所で同時に監視することで、本開示の一実施形態に係る映像編集システムは、障害発生時の原因特定だけでなく、障害警告を発生する場合に効果を発揮することが出来る。
【００２５】
図２は、図１に示した本開示の一実施形態に係る映像編集システムでパケットエラーが検出された場合の動作を説明するための説明図である。以下では、入力装置２ｃから編集装置４への通信フローｃにおいて、編集装置４の監視部１２がパケットエラーを検出した場合の動作を説明する。
【００２６】
編集装置４の監視部１２は、通信フローｃにおいてパケットエラーを検出すると、入力装置２ｃの監視部１２に対し、図２の破線のように、通信フローｃの監視を実行するようにリモートで設定する。入力装置２ｃの監視部１２が編集装置４の監視部１２から通信フローｃの監視を実行するようにリモートで設定されると、以降は編集装置４の監視部１２と入力装置２ｃの監視部１２とが、通信フローｃを同時に監視する。
【００２７】
編集装置４の監視部１２と入力装置２ｃの監視部１２とが通信フローｃを同時に監視することで、編集装置４の監視部１２で検出したパケットエラーに該当するパケットが、実際に入力装置２ｃから送出されていたのかどうかの判定が可能になる。編集装置４の監視部１２と入力装置２ｃの監視部１２とが通信フローｃを同時に監視することが、障害発生時の原因特定作業の一助となる。
【００２８】
なお上述の説明では、通信フローｃの送出元の入力装置２ｃに対し、監視部１２に設定する必要がある項目は編集装置４の監視部１２からリモートで設定するが、監視動作の実行までは編集装置４の監視部１２からリモートで指示しないことを前提としている。そして、編集装置４の監視部１２でパケットエラーを検出すると、編集装置４の監視部１２から入力装置２ｃの監視部１２へ監視動作の実行をリモートで指示するものとする。
【００２９】
入力装置２ｃの監視部１２へは異なる動作設定も可能である。例えば、装置間の通信フローの経路設定が変更される時点でパケットエラーが集中する傾向があるか否かを確認するのであれば、経路設定変更を支持するパケットの受信を開始条件として、複数の装置で同時に監視を実行することができる。
【００３０】
（第２の構成例）
映像編集システムの別の例を示す。図３は、本開示の一実施形態に係る映像編集システムの構成例を示す説明図である。以下、図３を用いて本開示の一実施形態に係る映像編集システムの構成例について説明する。
【００３１】
図３に示した本開示の一実施形態に係る映像編集システムは、図１に示した映像編集システムに加え、監視用途の専用装置として監視装置７が設けられたものである。監視装置７には、ＳＤＩ信号の処理機能を有する他の装置と同様に、監視部１２が含まれている。
【００３２】
図３に示したように、監視用途の専用装置として監視装置７が映像編集システムに設けられる場合は、ＳＤＩ信号の処理機能を有する他の全ての装置に対し、監視部１２をリモートで設定する。なお、設定の際に必要となる各通信フローの経路情報は制御装置１から取得する。図３では、各通信フローは図１と同様に制御装置１によって設定されたものとする。
【００３３】
図３のように構成される映像編集システムにおいて、図２と同様に、編集装置４の監視部１２が通信フローｃにパケットエラーを検出した場合の動作を説明する。図４は、図３に示した本開示の一実施形態に係る映像編集システムでパケットエラーが検出された場合の動作を説明するための説明図である。以下では、入力装置２ｃから編集装置４への通信フローｃにおいて、編集装置４の監視部１２がパケットエラーを検出した場合の動作を説明する。
【００３４】
編集装置４の監視部１２は、通信フローｃにおいてパケットエラーを検出すると、入力装置２ｃの監視部１２に対し、図４の破線のように、通信フローｃの監視を実行するようにリモートで設定する。入力装置２ｃの監視部１２が編集装置４の監視部１２から通信フローｃの監視を実行するようにリモートで設定されると、以降は編集装置４の監視部１２と入力装置２ｃの監視部１２とが、通信フローｃを同時に監視する。
【００３５】
図４に示した例では、編集装置４の監視部１２が入力装置２ｃの監視部１２へ直接リモートで設定していたが、編集装置４の監視部１２は、監視装置７を経由して、入力装置２ｃの監視部１２へ直接リモートで設定してもよい。
【００３６】
図５は、図３に示した本開示の一実施形態に係る映像編集システムでパケットエラーが検出された場合の動作を説明するための説明図である。以下では、入力装置２ｃから編集装置４への通信フローｃにおいて、編集装置４の監視部１２がパケットエラーを検出した場合の動作を説明する。
【００３７】
編集装置４の監視部１２は、通信フローｃにおいてパケットエラーを検出すると、監視装置７の監視部１２に対し、図５の破線のように、通信フローｃの監視を実行するようにリモートで設定する。監視装置７の監視部１２は、編集装置４の監視部１２からの設定を受信すると、入力装置２ｃの監視部１２に対し、図５の破線のように、通信フローｃの監視を実行するようにリモートで設定する。入力装置２ｃの監視部１２が監視装置７の監視部１２から通信フローｃの監視を実行するようにリモートで設定されると、以降は編集装置４の監視部１２と入力装置２ｃの監視部１２とが、通信フローｃを同時に監視する。
【００３８】
このように、編集装置４の監視部１２と入力装置２ｃの監視部１２とが通信フローｃを同時に監視することで、編集装置４の監視部１２で検出したパケットエラーに該当するパケットが、実際に入力装置２ｃから送出されていたのかどうかの判定が可能になる。編集装置４の監視部１２と入力装置２ｃの監視部１２とが通信フローｃを同時に監視することが、障害発生時の原因特定作業の一助となる。また図３に示した本開示の一実施形態に係る映像編集システムは、編集装置４の監視部１２及び入力装置２ｃの監視部１２で得られたパケットデータを、監視装置７の監視部１２に送信することで、監視装置７で一括して監視結果に対する処理が可能となる。
【００３９】
（第３の構成例）
映像編集システムの別の例を示す。図６は、本開示の一実施形態に係る映像編集システムの構成例を示す説明図である。以下、図６を用いて本開示の一実施形態に係る映像編集システムの構成例について説明する。
【００４０】
図６に示した本開示の一実施形態に係る映像編集システムは、図３に示した映像編集システムにおいて、ネットワーク上のある中継点２０における通信フローについても監視対象としたものである。なお、ネットワーク上の中継点とは、例えば、映像編集システムが複数のネットワークスイッチで構成されている場合のスイッチ間の接続にインライン挿入されたタップのモニタポートや、ミラーリングが設定されたスイッチのポートが相当する。
【００４１】
図６に示した本開示の一実施形態に係る映像編集システムは、ネットワーク上のある中継点２０における通信フローも各監視部１２での監視対象とすることで、受信点、送信点及び中継点における通信フローの同時監視が可能になる。従って、図６に示した本開示の一実施形態に係る映像編集システムは、障害発生時の原因特定作業がより効果的に実行できる。また図６に示した本開示の一実施形態に係る映像編集システムは、編集装置４の監視部１２及び入力装置２ｃの監視部１２で得られたパケットデータを、監視装置７の監視部１２に送信することで、監視装置７で一括して監視結果に対する処理が可能となる。
【００４２】
以上、本開示の一実施形態に係る映像編集システムの構成例について説明した。続いて、本開示の一実施形態に係る映像編集システムに含まれる、監視機能を有する装置の機能構成例について説明する。
【００４３】
［１．２．通信装置の機能構成例］
図７は、本開示の一実施形態に係る通信装置１００の機能構成例を示す説明図である。図７に示した通信装置１００は、図１から図６に示した、本開示の一実施形態に係る映像編集システムに含まれる、監視機能を有する各装置の機能構成例である。以下、図７を用いて本開示の一実施形態に係る通信装置１００の機能構成例について説明する。
【００４４】
図７に示したように、本開示の一実施形態に係る通信装置１００は、ネットワークインタフェース１１０と、パケット収集部１１１と、通信制御部１１２と、情報処理部１１３と、制御情報処理部１１４と、制御情報生成部１１５と、メモリ制御部１１６と、メモリ１１７と、カウンタ制御部１１８と、カウンタ１１９と、パケットフィルタ部１２０と、記録情報処理部１３０と、記録情報通信処理部１３１と、を含んで構成される。
【００４５】
ネットワークインタフェース１１０は、ネットワークスイッチ群１０で構成されるネットワークと接続し、他の装置との間でデータの送受信を実行する。またネットワークインタフェース１１０は、レイヤ２以上のネットワーク機能を有する通信制御部１１２とパケットのやりとりを実行する。またネットワークインタフェース１１０は、ネットワークの監視の用途のため、ネットワークインタフェース１１０を通過する送信パケット及び受信パケットをパケット収集部１１１に伝送する。
【００４６】
パケット収集部１１１は、ネットワークインタフェース１１０を通過する送信パケット及び受信パケットをネットワークインタフェース１１０から取得する。そしてパケット収集部１１１は、ネットワークインタフェース１１０から取得したパケットをパケットフィルタ部１２０に伝送する。
【００４７】
通信制御部１１２は、ネットワークインタフェース１１０との間でパケットのやりとりを実行する。また通信制御部１１２は、情報処理部１１３、制御情報処理部１１４及び記録情報通信処理部１３１との間で情報の通信を実行する。
【００４８】
情報処理部１１３は、通信装置１００の通信サービス用のデータ、例えば映像データと音声データの処理、通信装置１００の動作制御に関する情報の処理を実行する。また情報処理部１１３は、メモリ１１７の動作の制御に関する情報の生成のために、情報の処理過程で生じたログ情報やイベント情報をメモリ制御部１１６及びカウンタ制御部１１８に伝送する。
【００４９】
制御情報生成部１１５は、例えば、図示されていないキーボード、マウス、ディスプレイ等のハードウェアや、ユーザインタフェースなどのソフトウェアによって、通信装置１００でのネットワーク監視機能の動作に用いられる情報（制御情報）を生成する。
【００５０】
制御情報は、例えば、通信フローを設定するための情報、パケットの記録動作条件を設定するための情報、パケットの記録情報の内容を設定するための情報、監視動作を設定するための情報、等に大きく分類される。
【００５１】
通信フローを設定するための情報には、例えば、宛先及び送信先の装置のネットワークアドレスや、通信プロトコルの情報などが含まれ得る。
【００５２】
パケットの記録動作条件を設定するための情報には、例えば、メモリサイズ、上書き許可／禁止の条件、記録の開始条件、記録の停止条件、記録するパケットの情報、計数するパケットの情報、記録の周期の情報などが含まれ得る。
【００５３】
パケットの記録情報の内容を設定するための情報には、例えば、パケット内での記録箇所（以下、パケットデータ表記とも称する）の情報などが含まれ得る。
【００５４】
監視動作を設定するための情報には、例えば、名前を付けて保存するまたは廃棄する、自装置で解析するまたは他装置に転送する、自装置の記録情報だけを利用するまたは他装置の記録情報も利用する、リモート制御の許可／不許可、ＳＮＭＰ  ＴＲＡＰ転送の許可／不許可の設定などが含まれ得る。
【００５５】
上述した制御情報はあくまで一例であり、これらの情報や設定に限定されないことは言うまでもない。
【００５６】
制御情報処理部１１４は、制御情報生成部１１５で生成された制御情報を基に、各処理ブロックで必要となる情報を算出し、各処理ブロックに伝達する。制御情報処理部１１４が制御情報をやり取りする処理ブロックは、メモリ１１７の書き込み動作及び読み出し動作を制御するメモリ制御部１１６、所定の指定パケットの送受信数をカウントするカウンタ１１９を制御するカウンタ制御部１１８、収集した送受信パケットから、メモリ１１７に記録するパケットデータの特定、カウントするパケットの特定、メモリ１１７を制御するメモリ制御用データを生成するパケットフィルタ部１２０、記録情報であるパケットデータ及びカウント値を収集し、その記録情報を整理する記録情報処理部１３０、及び、記録情報であるパケットデータ及びカウント値を他の装置へ通信する記録情報通信処理部１３１である。
【００５７】
例えば、制御情報の１つにメモリサイズの情報が含まれていれば、制御情報処理部１１４は、そのメモリサイズの情報を基に、実際に利用するメモリアドレスの値を算出し、メモリ制御部１１６のメモリアドレス値を保持するレジスタに書き込む処理を行なう。
【００５８】
また、制御情報処理部１１４は、制御情報生成部１１５で生成された制御情報を確定する機能及び通信制御部１１２を経由して他の装置に制御情報を伝送する機能を有する。
【００５９】
メモリ制御部１１６は、メモリ１１７の書き込み動作及び読み出し動作を、制御情報処理部１１４から送られた情報に基づいて制御する。メモリ制御部１１６は、制御情報処理部１１４から送られた情報に基づいて、パケットを記録するメモリ１１７のサイズ及びアドレスを設定し、パケットをメモリ１１７に記録したり、メモリ１１７に記録したパケットを読みだしたりする。メモリ制御部１１６は、例えばパケットエラーが検出された場合に、メモリ１１７からパケットを読み出して記録情報処理部１３０に送る。
【００６０】
カウンタ制御部１１８は、所定の指定パケットの送受信数をカウントするカウンタ１１９を、制御情報処理部１１４から送られた情報に基づいて制御する。カウンタ制御部１１８は、例えばパケットエラーが検出された場合に、カウンタ１１９がカウントしたカウント値を読み出して記録情報処理部１３０に送る。
【００６１】
パケットフィルタ部１２０は、パケット収集部１１１が収集した送受信パケットから、メモリ１１７に記録するパケットデータの特定、カウントするパケットの特定、メモリ１１７を制御するメモリ制御用データを、制御情報処理部１１４から送られた情報に基づいて生成する。パケットフィルタ部１２０の構成例については後に詳述する。
【００６２】
記録情報処理部１３０は、記録情報であるパケットデータ及びカウント値をメモリ制御部１１６及びカウンタ制御部１１８から収集し、その記録情報を、制御情報処理部１１４から送られた情報に基づいて整理する。例えば記録情報処理部１３０は、メモリ制御部１１６及びカウンタ制御部１１８から収集した記録情報について、発生順序を整理する。
【００６３】
記録情報通信処理部１３１は、記録情報処理部１３０が整理した、記録情報であるパケットデータ及びカウント値を他の装置へ通信すると共に、図示されていないキーボード、マウス、ディスプレイ等のハードウェアや、ユーザインタフェースなどのソフトウェアによって、記録情報処理部１３０によって整理された記録情報を出力する機能を有する。
【００６４】
図７に示した通信装置１００の構成の内、情報処理部１１３が、図１から図６に示した各装置におけるＳＤＩ−ＩＰ変換部１１に相当する。従って情報処理部１１３は、ＳＤＩ信号とＩＰ信号とを相互に変換する機能を有する。また図７に示した通信装置１００の構成の内、情報処理部１１３を除いたものが図１から図６に示した各装置における監視部１２に相当する。
【００６５】
本開示の一実施形態に係る通信装置１００は、図７に示したような構成を有することで、他の装置と連携した、より効果的なネットワーク監視機能を実現することが出来る。
【００６６】
以上、図７を用いて本開示の一実施形態に係る通信装置１００の機能構成例について説明した。続いて、本開示の一実施形態に係る通信装置１００に含まれるパケットフィルタ部１２０の機能構成例について説明する。
【００６７】
図８は、本開示の一実施形態に係る通信装置１００に含まれるパケットフィルタ部１２０の機能構成例を示す説明図である。以下、図８を用いて本開示の一実施形態に係る通信装置１００に含まれるパケットフィルタ部１２０の機能構成例について説明する。
【００６８】
図８に示したように、パケットフィルタ部１２０は、パケットフィルタ１２１、１２２、１２３、１２４を含んで構成される。パケットフィルタ１２１は、カウンタ１１９でカウントするパケットを選別するためのフィルタである。パケットフィルタ１２１は、指定された所定のパターンを有する、または有しないパケットをカウントする場合、制御情報処理部１１４によって、そのパターン及びパターンとの一致／不一致が設定される。
【００６９】
パケットフィルタ１２２、１２３、１２４は、メモリ１１７への記録に関係するパケットを選別するためのフィルタである。例えば、パケットフィルタ１２２は、メモリ１１７に記録するパケットを選別するためのフィルタであり、パケットフィルタ１２３は、メモリ１１７への記録開始のトリガとなるトリガパケットを選別するためのフィルタであり、パケットフィルタ１２４は、メモリ１１７への記録停止のトリガとなるトリガパケットを選別するためのフィルタであるとする。指定された所定のパターンを有する、または有しないパケットを選別する場合、パケットフィルタ１２２、１２３、１２４も、パケットフィルタ１２１と同様に、制御情報処理部１１４によって、パターン及びパターンとの一致／不一致が設定される。
【００７０】
図８には、４つのパケットフィルタ１２１、１２２、１２３、１２４がパケットフィルタ部１２０に含まれている構成を示しているが、本開示は係る例に限定されるものではない。パケットフィルタ部１２０は、メモリ１１７に記録するパケットの種類や、カウンタ１１９の数に応じて、多段構成としたり、数を異ならせたりしたパケットフィルタの構成を有していてもよい。
【００７１】
例えばパケットフィルタ部１２０は、指定された所定のパターンとの一致または不一致の条件を、複数、同時に有効にするようなパケットフィルタの構成を有していてもよい。また例えば、カウンタ１１９でカウントするパケットを選別するパケットフィルタ１２１を複数の独立したパケットフィルタで構成した場合、複数の異なる通信フローにおける送信パケットと受信パケットとを、カウンタ１１９で同時にカウントすることが出来るので、各通信フローでのスループットの観測がより効果的に行える効果がある。
【００７２】
以上、図８を用いて本開示の一実施形態に係る通信装置１００に含まれるパケットフィルタ部１２０の機能構成例について説明した。続いて、本開示の一実施形態に係る通信装置１００を用いたネットワーク監視機能実行時のシステム動作例を説明する。
【００７３】
［１．３．ネットワーク監視機能実行時のシステム動作例］
図９は、本開示の一実施形態に係る通信装置１００を用いたネットワーク監視機能実行時のシステム動作例を説明する説明図である。図９には、２つの通信装置１００を用いてネットワーク監視機能を実行する際のシステムの構成が示されている。図９では、２つの通信装置１００を装置Ａ、装置Ｂとして説明する。以下では、装置Ａが生成した制御情報を装置Ｂに送ることで、装置Ａと装置Ｂとで同一の条件で記録情報を収集する場合の動作例を説明する。
【００７４】
なお、図９では、装置Ａ、装置Ｂ共に、説明に用いる機能ブロックのみを抜粋している。
【００７５】
装置Ａとして動作する通信装置１００は、制御情報生成部１１５が生成した制御情報を、制御情報処理部１１４で確定する。制御情報処理部１１４は、確定した制御情報を、自装置において制御情報を必要とする各ブロックに伝送するとともに、通信制御部１１２、ネットワークインタフェース１１０を経由して、装置Ｂとして動作する通信装置１００にも伝送する。
【００７６】
装置Ｂとして動作する通信装置１００は、装置Ａとして動作する通信装置１００から制御情報をネットワークインタフェース１１０で受信すると、通信制御部１１２を経由して制御情報処理部１１４で受信して、制御情報処理部１１４で制御情報を確定する。装置Ｂとして動作する通信装置１００の制御情報処理部１１４は、確定した制御情報を、自装置において制御情報を必要とする各ブロックに伝送する。
【００７７】
装置Ａで生成された制御情報に部分的な変更が生じた場合、装置Ａとして動作する通信装置１００で制御情報を変更して装置Ｂとして動作する通信装置１００へ送信する方法もあるが、装置Ｂとして動作する通信装置１００でその変更分を作成する方法も採り得る。制御情報に部分的な変更が生じた場合とは、例えば監視対象のネットワークアドレスだけを変更し、その他の情報には変更が生じないような場合である。
【００７８】
装置Ａと装置Ｂとが、通信プロトコルにＵＤＰとＲＴＰを使用して映像データを通信する場合、例えば送信側装置を装置Ｂ、受信側装置を装置Ａとして、同じ映像データのパケットを装置Ａと装置Ｂとで監視する場合、両装置で設定が必要になる制御情報の多くが共通することになる。制御情報は、上述したように、多岐にわたる多くの情報で構成される。本開示の一実施形態に係る通信装置１００は、この多岐にわたる多くの情報で構成される制御情報を、簡単な手順で他の通信装置に設定する事が可能になる。
【００７９】
図１０は、本開示の一実施形態に係る通信装置１００を用いたネットワーク監視機能実行時のシステム動作例を説明する説明図である。図１０には、３つの通信装置１００を用いてネットワーク監視機能を実行する際のシステムの構成が示されている。図１０では、データを送受信する通信装置１００を装置Ａ、装置Ｂとして、また制御情報を生成する通信装置１００を制御装置として説明する。以下では、制御装置が生成した制御情報を装置Ａ及び装置Ｂに送ることで、装置Ａと装置Ｂとで同一の条件で記録情報を収集する場合の動作例を説明する。
【００８０】
なお、図１０では、装置Ａ、装置Ｂ、制御装置のいずれについても、説明に用いる機能ブロックのみを抜粋している。
【００８１】
制御装置として動作する通信装置１００は、制御情報生成部１１５が生成した制御情報を、制御情報処理部１１４で確定する。制御情報処理部１１４は、確定した制御情報を、通信制御部１１２、ネットワークインタフェース１１０を経由して、装置Ａとして動作する通信装置１００及び装置Ｂとして動作する通信装置１００に伝送する。
【００８２】
制御装置で生成された制御情報に部分的な変更が生じた場合、制御装置として動作する通信装置１００で制御情報を変更して、装置Ａ、装置Ｂとして動作する通信装置１００へ送信する方法もあるが、装置Ａ、装置Ｂとして動作する通信装置１００でその変更分を作成する方法も採り得る。
【００８３】
図１１は、本開示の一実施形態に係る通信装置１００を用いたネットワーク監視機能実行時のシステム動作例を説明する説明図である。図１１には、３つの通信装置１００を用いてネットワーク監視機能を実行する際のシステムの構成が示されている。図１１では、データを送受信する通信装置１００を装置Ａ、装置Ｂとして、また制御情報を生成する通信装置１００を制御装置として説明する。以下では、制御装置が生成した制御情報を装置Ａ及び装置Ｂに送ることで、装置Ａと装置Ｂとで同一の条件で記録情報を収集し、収集した記録情報を制御情報に送信する場合の動作例を説明する。
【００８４】
なお、図１１では、装置Ａ、装置Ｂ、制御装置のいずれについても、説明に用いる機能ブロックのみを抜粋している。
【００８５】
制御装置として動作する通信装置１００は、制御情報生成部１１５が生成した制御情報を、制御情報処理部１１４で確定する。制御情報処理部１１４は、確定した制御情報を、通信制御部１１２、ネットワークインタフェース１１０を経由して、装置Ａとして動作する通信装置１００及び装置Ｂとして動作する通信装置１００に伝送する。制御装置として動作する通信装置１００は、装置Ａ及び装置Ｂへ送信する制御情報には、収集した記録情報を制御装置へ送信する指示の情報を含める。
【００８６】
そして、装置Ａとして動作する通信装置１００及び装置Ｂとして動作する通信装置１００は、制御情報に基づいて収集した記録情報を、記録情報通信処理部１３１、通信処理部１１２、及びネットワークインタフェース１１０を通じて、制御装置として動作する通信装置１００へ送信する。制御装置として動作する通信装置１００は、装置Ａとして動作する通信装置１００及び装置Ｂとして動作する通信装置１００から送られてきた記録情報を、ネットワークインタフェース１１０、通信制御部１１２を通じて記録情報通信処理部１３１で受信し、記録情報処理部１３０で整理する。
【００８７】
図１２は、本開示の一実施形態に係る通信装置１００を用いたネットワーク監視機能実行時のシステム動作例を説明する説明図である。図１２には、３つの通信装置１００を用いてネットワーク監視機能を実行する際のシステムの構成が示されている。図１２では、データを送受信する通信装置１００を装置Ａ、装置Ｂとして、また制御情報を生成する通信装置１００を制御装置として説明する。以下では、制御装置が生成した制御情報を装置Ａ及び装置Ｂに送り、装置Ａが収集した記録情報を装置Ｂで処理する場合の動作例を説明する。
【００８８】
なお、図１２では、装置Ａ、装置Ｂ、制御装置のいずれについても、説明に用いる機能ブロックのみを抜粋している。
【００８９】
制御装置として動作する通信装置１００は、制御情報生成部１１５が生成した制御情報を、制御情報処理部１１４で確定する。制御情報処理部１１４は、確定した制御情報を、通信制御部１１２、ネットワークインタフェース１１０を経由して、装置Ａとして動作する通信装置１００及び装置Ｂとして動作する通信装置１００に伝送する。制御装置として動作する通信装置１００は、装置Ａへ送信する制御情報には、収集した記録情報を装置Ｂへ送信する指示の情報を含める。また制御装置として動作する通信装置１００は、装置Ｂへ送信する制御情報には、装置Ａが収集した記録情報を装置Ｂで受信する指示の情報を含める。
【００９０】
そして、装置Ａとして動作する通信装置１００は、制御情報に基づいて収集した記録情報を、記録情報通信処理部１３１、通信処理部１１２、及びネットワークインタフェース１１０を通じて、装置Ｂとして動作する通信装置１００へ送信する。装置Ｂとして動作する通信装置１００は、装置Ａとして動作する通信装置１００から送られてきた記録情報を、ネットワークインタフェース１１０、通信制御部１１２を通じて記録情報通信処理部１３１で受信し、記録情報処理部１３０で整理する。
【００９１】
このように本開示の一実施形態に係る通信装置１００を用いることで、自装置で生成した制御情報を他の装置に共有させて、同一の条件でネットワークの監視を行なうことが出来る。またこのように本開示の一実施形態に係る通信装置１００を用いることで、自装置で生成した制御情報を他の装置に送信し、送信先の装置で制御情報に基づいて収集された記録情報を受信したり、またさらに他の装置に転送させたりすることが出来る。
【００９２】
以上、本開示の一実施形態に係る通信装置１００を用いたネットワーク監視機能実行時のシステム動作例を説明した。続いて、本開示の一実施形態に係る通信装置１００の動作例を説明する。
【００９３】
［１．４．通信装置の動作例］
図１３は、本開示の一実施形態に係る通信装置１００の動作例を示す流れ図である。図１３に示したのは、通信装置１００で制御情報を生成し、その生成した制御情報を他の装置に送信する際の、通信装置１００の動作例である。以下、図１３を用いて本開示の一実施形態に係る通信装置１００の動作例について説明する。
【００９４】
通信装置１００は、制御情報生成部１１５で制御情報を作成する（ステップＳ１０１）。制御情報の作成にあたっては、上述したように、キーボード、マウス、ディスプレイ等のハードウェアや、ユーザインタフェースなどのソフトウェアによって、通信装置１００のネットワーク監視機能の動作に必要な情報を制御情報生成部１１５で生成する。
【００９５】
上記ステップＳ１０１で、制御情報生成部１１５が制御情報を作成すると、続いて通信装置１００は、作成された制御情報を制御情報処理部１１４で確定するとともに、確定した制御情報に基づき、通信装置１００の内部の各機能ブロックに設定するための各種制御レジスタ値を制御情報処理部１１４で算出し、各種制御レジスタを制御情報処理部１１４で各機能ブロックに設定する（ステップＳ１０２）。
【００９６】
上述したように、制御情報処理部１１４が制御情報をやり取りする処理ブロックは、メモリ制御部１１６、カウンタ制御部１１８、パケットフィルタ部１２０、記録情報処理部１３０、及び記録情報通信処理部１３１である。
【００９７】
続いて通信装置１００は、制御情報を送信することでリモート制御する対象の装置があるかどうかを、例えば制御情報処理部１１４で判断する（ステップＳ１０３）。リモート制御する対象の装置がなければ、通信装置１００はそのまま処理を終了する。一方、リモート制御する対象の装置があれば、続いて通信装置１００は、対象の装置と通信を実行し、その対象の装置がリモート制御を許諾する設定になっているかどうかを、例えば制御情報処理部１１４で判断する（ステップＳ１０４）。
【００９８】
上記ステップＳ１０４の判断の結果、対象の装置がリモート制御を許諾する設定になっていれば、通信装置１００は、その対象の装置へ向けて制御情報を制御情報処理部１１４、通信制御部１１２、ネットワークインタフェース１１０を通じて送信する。そして通信装置１００は、その対象の装置からの応答によって、リモート制御の対象の装置で制御情報の設定が成功したことを確認する（ステップＳ１０５）。
【００９９】
一方上記ステップＳ１０４の判断の結果、対象の装置がリモート制御を許諾する設定になっていなければ、通信装置１００は、その対象の装置へのリモート制御の実行には、対象の装置にリモート制御を許可するよう設定する必要がある旨の情報を、例えば図示されていない表示装置へ出力する（ステップＳ１０６）。通信装置１００は、対象の装置にリモート制御を許可するよう設定する必要がある旨の情報を出力することで、ユーザに対し、対象の装置の設定変更が必要であることを通知することが出来る。
【０１００】
なお、リモート制御を許諾するかどうかの設定は、例えば各装置が上記ステップＳ１０１の制御情報の作成の手順の中で実行する。
【０１０１】
以上、通信装置１００で制御情報を生成し、その生成した制御情報を他の装置に送信する際の、通信装置１００の動作例について説明した。
【０１０２】
図１４は、本開示の一実施形態に係る通信装置１００の動作例を示す流れ図である。図１４に示したのは、メモリ制御部１１６で用いる、メモリ１１７への書き込みの開始動作と停止動作の制御に関する情報が発生したことを、複数の装置で共有する際の通信装置１００の動作例である。以下、図１４を用いて本開示の一実施形態に係る通信装置１００の動作例について説明する。
【０１０３】
ネットワークシステム内にＳＮＭＰ（Ｓｉｍｐｌｅ  Ｎｅｔｗｏｒｋ  Ｍａｎａｇｅｍｅｎｔ  Ｐｒｏｔｏｃｏｌ）マネージャ装置が存在する場合、通信装置は、情報処理過程で異常事象が発生すると、ＳＮＭＰマネージャ装置宛にＳＮＭＰ  ＴＲＡＰを送信する。図１４に示した流れ図は、このＳＮＭＰ  ＴＲＡＰの送信機能を転用して、複数の装置で情報を共有する際の動作例である。
【０１０４】
メモリ制御部１１６が、メモリ１１７への書き込みの開始動作と停止動作の制御に関する情報の発生を検出すると、通信装置１００は、ＳＮＭＰマネージャの機能が搭載された装置宛に、その情報内容が識別できるＳＮＭＰ  ＴＲＡＰを送信する（ステップＳ２０２）。
【０１０５】
ＳＮＭＰ  ＴＲＡＰは、ＳＮＭＰマネージャ機能を搭載した装置宛のユニキャスト通信パケットであるため、このＳＮＭＰマネージャ機能を２台の通信装置１００のいずれかが搭載している場合を除き、２台の通信装置１００の間で通信されることはない。そこで、ＳＮＭＰ  ＴＲＡＰを受信した装置は、制御情報に含まれるＳＮＭＰ  ＴＲＡＰ転送許可／不許可の設定項目を確認することで、ＳＮＭＰ  ＴＲＡＰ転送動作の有無を決定する（ステップＳ２０３）。
【０１０６】
ＳＮＭＰ  ＴＲＡＰを受信した装置は、ＳＮＭＰ  ＴＲＡＰ転送を許可するよう設定されている場合は、情報を共有すべき通信装置１００のアドレス宛てにＳＮＭＰ  ＴＲＡＰを複製して転送する（ステップＳ２０４）。ＳＮＭＰ  ＴＲＡＰ転送を許可するよう設定されていない場合は、ＳＮＭＰ  ＴＲＡＰを受信した装置は、ステップＳ２０４の処理をスキップする。
【０１０７】
上述の例では、ＳＮＭＰマネージャ機能を搭載した装置に送るＳＮＭＰ  ＴＲＡＰ情報が複製される場合を示したが、情報を共有すべき通信装置１００のアドレス宛てに送られるＳＮＭＰ  ＴＲＡＰは、メモリ１１７への書込みの開始動作と停止動作を直接指示する内容であってもよい。
【０１０８】
また、メモリ１１７への書込みの開始動作と停止動作の制御に関する情報が、情報処理部１１３の処理に起因する場合、異常事象だけでなく正常事象に対してもＳＮＭＰ  ＴＲＡＰが定義されてもよい。異常事象だけでなく正常事象に対してもＳＮＭＰ  ＴＲＡＰが定義されることで、異常事象と正常事象の両方がメモリ１１７への書込みの開始動作と停止動作の制御に利用できるようになる。
【０１０９】
また、メモリ１１７への書込みの開始動作と停止動作の制御に関する情報は、所定の異常事象及び所定の正常事象が時系列に複数発生することを条件として生成されてもよい。
【０１１０】
また、メモリ１１７への書込みの開始動作と停止動作の制御に関する情報が、パケットフィルタ部１２０の処理に起因する場合は、この場合に対してもＳＮＭＰ  ＴＲＡＰが定義されてもよい。パケットフィルタ部１２０の処理に起因する場合であっても、メモリ１１７への書込みの開始動作と停止動作の制御に利用できるようになる。
【０１１１】
なお、メモリ１１７への書込みの開始動作と停止動作の制御に関する情報を共有すべき通信装置１００が複数存在しうるネットワークシステムでは、その情報の発生原因である通信装置１００を特定してＳＮＭＰ  ＴＲＡＰを送信することができる。
【０１１２】
例えば、装置Ａが装置Ｂと装置Ｃからの通信データを同時処理するネットワークシステムを例にすると、装置Ａは、情報処理の過程で検出された事象がどの装置に関係する事象であるかを判定し、関係する装置に対してＳＮＭＰ  ＴＲＡＰを送信する。装置Ａのパケットフィルタ部１２０で検出された事象であれば、そのパケットのアドレス情報から、どの装置からのパケットであるかを判定し、そのパケットを送信した通信装置１００に対してＳＮＭＰ  ＴＲＡＰを送信することができる。
【０１１３】
以上、メモリ１１７への書き込みの開始動作と停止動作の制御に関する情報が発生したことを、複数の装置で共有する際の通信装置１００の動作例について説明した。なお、本実施形態では、ＳＮＭＰ  ＴＲＡＰによって、メモリ１１７への書き込みの開始動作と停止動作の制御に関する情報が発生したことを複数の装置で共有していたが、本開示は係る例に限定されるものではない。メモリ１１７への書き込みの開始動作と停止動作の制御に関する情報が発生したことを確実に相手に伝送することが出来るプロトコルであれば、他のプロトコルも用いることが可能である。
【０１１４】
図１５は、本開示の一実施形態に係る通信装置１００の動作例を示す流れ図である。図１５に示したのは、パケットデータと共に記録するタイムスタンプに関する、通信装置１００の動作例である。以下、図１５を用いて本開示の一実施形態に係る通信装置１００の動作例について説明する。
【０１１５】
一般に、ＬＡＮアナライザ装置がパケットを記録する場合、時刻情報として絶対時刻と相対時刻の２種類のタイムスタンプが使用できる。ここで相対時刻の定義は、記録した第１パケットの記録時刻を“０秒”とするものである。
【０１１６】
記録開始条件が満たされた時刻と第１パケットの発生時刻との間に要した時間は、通信装置１００の情報処理動作を解析するうえで有効な情報であることが多い。相対時刻の他に絶対時刻を使用してパケットが記録され、かつ、記録開始条件を満たした時刻がログ記録として別に保存されている場合には、相対時刻と絶対時刻の両方の記録を参照することで上記情報を得ることはできる。しかしこの場合は、前者と後者で使用する時刻表現の粒度が一致していなければならない。また、時刻記録を伴わない類のイベントを記録開始条件として利用するには、このイベントに対しても発生時刻を記録するように特別に設計する必要がある。いずれにせよ、相対時刻と絶対時刻の両方の記録を比較操作する手間が発生する。
【０１１７】
本実施形態では、記録開始条件が満たされた時点の相対時刻を“０秒”として処理することで、上述した相対時刻と絶対時刻の両方の記録を比較操作する手間を無くす方法を提案する。
【０１１８】
本開示の一実施形態に係る通信装置１００は、記録開始条件が満たされた時点で生成される記録開始の指示があるまで待機する（Ｓ３０１）。記録開始の指示があると、通信装置１００は、制御情報の一部として設定される相対時刻の選択内容を確認する（Ｓ３０２）。
【０１１９】
上記ステップＳ３０２の判断の結果、制御情報の一部として設定される相対時刻の選択内容が“通常”であれば、通信装置１００は、記録する第１パケットの発生まで待機し（ステップＳ３０３）、相対時刻を“０秒”にセットする（ステップＳ３０４）。
【０１２０】
一方、上記ステップＳ３０２の判断の結果、制御情報の一部として設定される相対時刻の選択内容が“特殊”の場合には、通信装置１００は、直ちに相対時刻を“０秒”にセットする（ステップＳ３０４）。
【０１２１】
本開示の一実施形態に係る通信装置１００は、制御情報に相対時刻の選択内容を設定し、図１５に示したような動作を実行することで、絶対時刻と相対時刻の両方の記録の参照の手間を省略させることが出来る。
【０１２２】
＜２．ハードウェア構成例＞
上記の各アルゴリズムは、例えば、図１６に示すハードウェア構成を用いて実行することが可能である。つまり、当該各アルゴリズムの処理は、コンピュータプログラムを用いて図１６に示すハードウェアを制御することにより実現される。なお、このハードウェアの形態は任意であり、例えば、パーソナルコンピュータ、携帯電話、ＰＨＳ、ＰＤＡ等の携帯情報端末、ゲーム機、接触式又は非接触式のＩＣチップ、接触式又は非接触式のＩＣカード、又は種々の情報家電がこれに含まれる。但し、上記のＰＨＳは、Ｐｅｒｓｏｎａｌ  Ｈａｎｄｙ−ｐｈｏｎｅ  Ｓｙｓｔｅｍの略である。また、上記のＰＤＡは、Ｐｅｒｓｏｎａｌ  Ｄｉｇｉｔａｌ  Ａｓｓｉｓｔａｎｔの略である。
【０１２３】
図１６に示すように、このハードウェアは、主に、ＣＰＵ９０２と、ＲＯＭ９０４と、ＲＡＭ９０６と、ホストバス９０８と、ブリッジ９１０と、を有する。さらに、このハードウェアは、外部バス９１２と、インターフェース９１４と、入力部９１６と、出力部９１８と、記憶部９２０と、ドライブ９２２と、接続ポート９２４と、通信部９２６と、を有する。但し、上記のＣＰＵは、Ｃｅｎｔｒａｌ  Ｐｒｏｃｅｓｓｉｎｇ  Ｕｎｉｔの略である。また、上記のＲＯＭは、Ｒｅａｄ  Ｏｎｌｙ  Ｍｅｍｏｒｙの略である。そして、上記のＲＡＭは、Ｒａｎｄｏｍ  Ａｃｃｅｓｓ  Ｍｅｍｏｒｙの略である。
【０１２４】
ＣＰＵ９０２は、例えば、演算処理装置又は制御装置として機能し、ＲＯＭ９０４、ＲＡＭ９０６、記憶部９２０、又はリムーバブル記録媒体９２８に記録された各種プログラムに基づいて各構成要素の動作全般又はその一部を制御する。ＲＯＭ９０４は、ＣＰＵ９０２に読み込まれるプログラムや演算に用いるデータ等を格納する手段である。ＲＡＭ９０６には、例えば、ＣＰＵ９０２に読み込まれるプログラムや、そのプログラムを実行する際に適宜変化する各種パラメータ等が一時的又は永続的に格納される。
【０１２５】
これらの構成要素は、例えば、高速なデータ伝送が可能なホストバス９０８を介して相互に接続される。一方、ホストバス９０８は、例えば、ブリッジ９１０を介して比較的データ伝送速度が低速な外部バス９１２に接続される。また、入力部９１６としては、例えば、マウス、キーボード、タッチパネル、ボタン、スイッチ、及びレバー等が用いられる。さらに、入力部９１６としては、赤外線やその他の電波を利用して制御信号を送信することが可能なリモートコントローラ（以下、リモコン）が用いられることもある。
【０１２６】
出力部９１８としては、例えば、ＣＲＴ、ＬＣＤ、ＰＤＰ、又はＥＬＤ等のディスプレイ装置、スピーカ、ヘッドホン等のオーディオ出力装置、プリンタ、携帯電話、又はファクシミリ等、取得した情報を利用者に対して視覚的又は聴覚的に通知することが可能な装置である。但し、上記のＣＲＴは、Ｃａｔｈｏｄｅ  Ｒａｙ  Ｔｕｂｅの略である。また、上記のＬＣＤは、Ｌｉｑｕｉｄ  Ｃｒｙｓｔａｌ  Ｄｉｓｐｌａｙの略である。そして、上記のＰＤＰは、Ｐｌａｓｍａ  ＤｉｓｐｌａｙＰａｎｅｌの略である。さらに、上記のＥＬＤは、Ｅｌｅｃｔｒｏ−Ｌｕｍｉｎｅｓｃｅｎｃｅ  Ｄｉｓｐｌａｙの略である。
【０１２７】
記憶部９２０は、各種のデータを格納するための装置である。記憶部９２０としては、例えば、ハードディスクドライブ（ＨＤＤ）等の磁気記憶デバイス、半導体記憶デバイス、光記憶デバイス、又は光磁気記憶デバイス等が用いられる。但し、上記のＨＤＤは、Ｈａｒｄ  Ｄｉｓｋ  Ｄｒｉｖｅの略である。
【０１２８】
ドライブ９２２は、例えば、磁気ディスク、光ディスク、光磁気ディスク、又は半導体メモリ等のリムーバブル記録媒体９２８に記録された情報を読み出し、又はリムーバブル記録媒体９２８に情報を書き込む装置である。リムーバブル記録媒体９２８は、例えば、ＤＶＤメディア、Ｂｌｕ−ｒａｙメディア、ＨＤ  ＤＶＤメディア、各種の半導体記憶メディア等である。もちろん、リムーバブル記録媒体９２８は、例えば、非接触型ＩＣチップを搭載したＩＣカード、又は電子機器等であってもよい。但し、上記のＩＣは、Ｉｎｔｅｇｒａｔｅｄ  Ｃｉｒｃｕｉｔの略である。
【０１２９】
接続ポート９２４は、例えば、ＵＳＢポート、ＩＥＥＥ１３９４ポート、ＳＣＳＩ、ＲＳ−２３２Ｃポート、又は光オーディオ端子等のような外部接続機器９３０を接続するためのポートである。外部接続機器９３０は、例えば、プリンタ、携帯音楽プレーヤ、デジタルカメラ、デジタルビデオカメラ、又はＩＣレコーダ等である。但し、上記のＵＳＢは、Ｕｎｉｖｅｒｓａｌ  Ｓｅｒｉａｌ  Ｂｕｓの略である。また、上記のＳＣＳＩは、Ｓｍａｌｌ  Ｃｏｍｐｕｔｅｒ  Ｓｙｓｔｅｍ  Ｉｎｔｅｒｆａｃｅの略である。
【０１３０】
通信部９２６は、ネットワーク９３２に接続するための通信デバイスであり、例えば、有線又は無線ＬＡＮ、Ｂｌｕｅｔｏｏｔｈ（登録商標）、又はＷＵＳＢ用の通信カード、光通信用のルータ、ＡＤＳＬ用のルータ、又は接触又は非接触通信用のデバイス等である。また、通信部９２６に接続されるネットワーク９３２は、有線又は無線により接続されたネットワークにより構成され、例えば、インターネット、家庭内ＬＡＮ、赤外線通信、可視光通信、放送、又は衛星通信等である。但し、上記のＬＡＮは、Ｌｏｃａｌ  Ａｒｅａ  Ｎｅｔｗｏｒｋの略である。また、上記のＷＵＳＢは、Ｗｉｒｅｌｅｓｓ  ＵＳＢの略である。そして、上記のＡＤＳＬは、Ａｓｙｍｍｅｔｒｉｃ  Ｄｉｇｉｔａｌ  Ｓｕｂｓｃｒｉｂｅｒ  Ｌｉｎｅの略である。
【０１３１】
＜３．まとめ＞
以上説明したように本開示の一実施形態によれば、複数の通信装置で構成されるネットワークシステム、特に、映像データおよび音声データを処理する通信装置で構成されるネットワークシステムで、効果的にネットワークを監視する通信装置１００が提供される。
【０１３２】
本開示の一実施形態に係る通信装置１００は、ネットワーク監視機能の動作に用いられる制御情報を生成し、その制御情報に基づいてレジスタに値を設定するとともに、その制御情報を、通信フローにおける相手先の他の通信装置１００に送信する。制御情報を受信した当該他の通信装置１００は、自装置に適したレジスタ値を生成し、レジスタに値を設定する。
【０１３３】
本開示の一実施形態に係る通信装置１００は、生成した制御情報を他の通信装置１００に送信することで、複数の通信装置１００で構成されるネットワークシステム、特に、映像データおよび音声データを処理する通信装置１００で構成されるネットワークシステムで、効果的にネットワークを監視することが出来る。
【０１３４】
本明細書の各装置が実行する処理における各ステップは、必ずしもシーケンス図またはフローチャートとして記載された順序に沿って時系列に処理する必要はない。例えば、各装置が実行する処理における各ステップは、フローチャートとして記載した順序と異なる順序で処理されても、並列的に処理されてもよい。
【０１３５】
また、各装置に内蔵されるＣＰＵ、ＲＯＭおよびＲＡＭなどのハードウェアを、上述した各装置の構成と同等の機能を発揮させるためのコンピュータプログラムも作成可能である。また、該コンピュータプログラムを記憶させた記憶媒体も提供されることが可能である。また、機能ブロック図で示したそれぞれの機能ブロックをハードウェアで構成することで、一連の処理をハードウェアで実現することもできる。
【０１３６】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１３７】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１３８】
なお、以下のような構成も本開示の技術的範囲に属する。
（１）
ネットワークへ送信するパケット及び前記ネットワークから受信したパケットを収集するパケット収集部と、
前記パケット収集部が収集したパケットを用いてパケットの記録の開始及び停止を指示する指示情報を生成する契機となるパケットが存在するか検出するパケット検出部と、
パケットの監視動作に用いる情報及び前記指示情報を含んだ制御情報を生成する制御情報生成部と、
前記制御情報生成部が生成した前記制御情報を前記ネットワークに接続される他の装置に送信する通信制御部と、
を備える、通信装置。
（２）
前記制御情報生成部は、記録するパケットの情報及び計数するパケットの情報を含んだ前記制御情報を生成する、前記（１）に記載の通信装置。
（３）
前記パケット検出部は、
前記パケット収集部が収集したパケットから記録するパケットを選択する記録パケット選択部と、
前記記録パケット選択部が選択したパケットの指定する部分を記録する記録制御部と、
前記パケット収集部が収集したパケットから計数するパケットを選択する計数パケット選択部と、
前記計数パケット選択部が選択したパケットを計数する計数制御部と、
を備える、前記（１）または（２）に記載の通信装置。
（４）
前記パケット収集部が収集したパケットに関する情報を整理して出力する記録情報処理部をさらに備える、前記（３）に記載の通信装置。
（５）
前記記録情報処理部は、
前記記録制御部が記録したパケットの情報であるパケット記録情報と、前記計数制御部が計数したパケットの情報であるパケット計数情報と、他の装置で収集されたパケット記録情報とパケット計数情報とについて、発生順序を整理する、前記（４）に記載の通信装置。
（６）
前記記録パケット選択部は、前記パケット収集部が収集したパケットと指定のパターンとの一致または不一致を判定して記録するパケットを選択する１つ以上のフィルタの組合せで構成される、前記（３）〜（５）のいずれかに記載の通信装置。
（７）
前記計数パケット選択部は、前記パケット収集部が収集したパケットと指定のパターンとの一致または不一致を判定して計数するパケットを選択する１つ以上のフィルタの組合せで構成される、前記（３）〜（６）のいずれかに記載の通信装置。
（８）
前記記録制御部は、パケットの記録開始の指示の発生時点の時刻を基準時刻とする相対時刻を選択して、パケットと同時に記録する制御を行なう、前記（３）〜（７）のいずれかに記載の通信装置。
（９）
前記通信制御部は、前記他の装置に前記制御情報に基づくリモート制御の許可を確認する、前記（１）〜（８）のいずれかに記載の通信装置。
（１０）
前記通信制御部は、前記他の装置に前記指示情報を送信する際に、該他の装置のネットワークアドレスを設定したパケットを生成し、該パケットを該他の装置とは異なる装置に送信する、前記（１）〜（９）のいずれかに記載の通信装置。
（１１）
ネットワークへ送信するパケット及び前記ネットワークから受信したパケットを収集するステップと、
収集された前記パケットを用いてパケットの記録の開始及び停止を指示する指示情報を生成する契機となるパケットが存在するか検出するステップと、
パケットの監視動作に用いる情報及び前記指示情報を含んだ制御情報を生成するステップと、
生成された前記制御情報を前記ネットワークに接続される他の装置に送信するステップと、
を含む、パケット監視方法。
（１２）
コンピュータに、
ネットワークへ送信するパケット及び前記ネットワークから受信したパケットを収集するステップと、
収集された前記パケットを用いてパケットの記録の開始及び停止を指示する指示情報を生成する契機となるパケットが存在するか検出するステップと、
パケットの監視動作に用いる情報及び前記指示情報を含んだ制御情報を生成するステップと、
生成された前記制御情報を前記ネットワークに接続される他の装置に送信するステップと、
を実行させる、コンピュータプログラム。
【符号の説明】
【０１３９】
１００    通信装置
１１０    ネットワークインタフェース
１１１    パケット収集部
１１２    通信制御部
１１３    情報処理部
１１４    制御情報処理部
１１５    制御情報生成部
１１６    メモリ制御部
１１７    メモリ
１１８    カウンタ制御部
１１９    カウンタ
１２０    パケットフィルタ部
１３０    記録情報処理部
１３１    記録情報通信処理部
【図１】
2015093345.tif 000003
【図２】
2015093345.tif 000004
【図３】
2015093345.tif 000005
【図４】
2015093345.tif 000006
【図５】
2015093345.tif 000007
【図６】
2015093345.tif 000008
【図７】
2015093345.tif 000009
【図８】
2015093345.tif 000010
【図９】
2015093345.tif 000011
【図１０】
2015093345.tif 000012
【図１１】
2015093345.tif 000013
【図１２】
2015093345.tif 000014
【図１３】
2015093345.tif 000015
【図１４】
2015093345.tif 000016
【図１５】
2015093345.tif 000017
【図１６】
2015093345.tif 000018
【国際調査報告】
2015093345.tif 000019
2015093345.tif 000020
2015093345.tif 000021
2015093345.tif 000022